【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
物理媒体の第1の領域において記録された画像信号を供給する複数のイメージセンサ素子を有する、第1のイメージセンサと、該第1のイメージセンサに関連付けられた第1の光源とを備える画像スキャナにより、該物理媒体を走査する方法であって、
-該第1の光源から発せられた光を、該第1のイメージセンサの第1の端部に位置決めされた第1のイメージセンサ素子群へ向けて誘導し、該第1のイメージセンサ素子群を使用して、該第1の光源により生成された光の該第1のイメージセンサの該第1の端部における光強度を示す第1の光較正値を記録する段階
を含み、
-該第1のイメージセンサの第2の端部に位置決めされた第2のイメージセンサ素子群を使用することにより上記段階を繰り返し、その結果として、該第1の光源により生成された光の該第1のイメージセンサの該第2の端部における光強度を示す第2の光較正値を得る段階;ならびに
-該第1の光較正値および該第2の光較正値を併せて処理することにより、該第1のイメージセンサ素子群と該第2のイメージセンサ素子群の間に位置決めされたイメージセンサ素子についての第1の補正信号を生成する段階;
-該第1の補正信号を使用して、該第1のイメージセンサにより供給された該画像信号を補正する段階
をさらに含む、方法。
【請求項２】
前記第1の補正信号が、該第1の補正信号の第2の部分の平均勾配よりも大きい平均勾配を有する第1の部分を含む、請求項1記載の方法。
【請求項３】
前記第1の補正信号の前記第1の部分が、該補正信号の少なくとも5％、10％、20％、25％、30％、50％、もしくは70％を成し、かつ/または該第1の補正信号の前記第2の部分が、該第1の補正信号の少なくとも30％、50％、60％、70％、75％、80％、もしくは90％を成す、請求項2記載の方法。
【請求項４】
前記第1の補正信号の各値が、前記第1の光較正値と前記第2の光較正値の加重平均である、請求項1〜3のいずれか一項記載の方法。
【請求項５】
第3のイメージセンサ素子群が、基準較正値を記録するために使用され、該第3のイメージセンサ素子群が光から遮蔽されており、かつ、前記第1の補正信号を生成する段階が、前記第1の較正値、前記第2の較正値および該基準較正値を併せて処理することを含む、請求項1〜4のいずれか一項記載の方法。
【請求項６】
第1の光較正部を使用して前記第1のイメージセンサ素子群へ向けて光を誘導し、かつ、第2の光較正部を使用して前記第2のイメージセンサ素子群へ向けて光を誘導する、請求項1〜5のいずれか一項記載の方法。
【請求項７】
前記画像スキャナが、
走査された前記物理媒体の第2の領域において記録された画像信号を供給する複数のイメージセンサ素子を備える、第2のイメージセンサと、
該第2のイメージセンサに関連付けられた第2の光源と
をさらに備え、該第2の領域の一部分が前記第1のイメージセンサによっても記録され、それにより、それぞれの画像信号にオーバーラップ領域由来および非オーバーラップ領域由来の画像データが存在し、前記方法が、
-該第2の光源から発せられた光を、該第2のイメージセンサの第1の端部に位置決めされた第4のイメージセンサ素子群へ向けて誘導し、該第4のイメージセンサ素子群を使用して、該第2の光源により生成された光の該第2のイメージセンサの該第1の端部における光強度を示す第3の光較正値を記録する段階;
-該第2の光源から発せられた光を、該第2のイメージセンサの第2の端部に位置決めされた第5のイメージセンサ素子群へ向けて誘導し、該第5のイメージセンサ素子群を使用して、該第2の光源により生成された光の該第2のイメージセンサの該第2の端部における光強度を示す第4の光較正値を記録する段階;
-該第3の光較正値および該第4の光較正値を併せて処理することにより、該第2のイメージセンサの該第4のイメージセンサ素子群と該第5のイメージセンサ素子群の間に位置決めされたイメージセンサ素子についての第2の補正信号を生成する段階;
-該第2の補正信号を使用して、該第2のイメージセンサにより供給された該画像信号を補正する段階
をさらに含む、請求項1〜6のいずれか一項記載の方法。
【請求項８】
物理媒体の第1の領域において記録された画像信号を供給する複数のイメージセンサ素子を有する、第1のイメージセンサと、該第1のイメージセンサに関連付けられた第1の光源と、該第1の光源からの光を、該第1のイメージセンサの第1の端部に位置決めされた第1のイメージセンサ素子群へ向けて誘導するように構成された、第1の光較正部と、該第1の光源からの光を、該第1のイメージセンサの第2の端部に位置決めされた第2のイメージセンサ素子群へ向けて誘導するように構成された、第2の光較正部と、
-該第1のイメージセンサ素子群により記録された第1の光較正値を、該第2のイメージセンサ素子群により記録された第2の光較正値と併せて処理することにより、該第1のイメージセンサ素子群と該第2のイメージセンサ素子群の間に位置決めされたイメージセンサ素子についての第1の補正信号を生成する
ための処理部とを備える、走査のための装置。
【請求項９】
物理媒体の第1の領域において記録された画像信号を供給する複数のイメージセンサ素子を有する第1のイメージセンサ由来の信号を処理する方法であって、
-該第1のイメージセンサに関連付けられた第1の光源により生成された光の該第1のイメージセンサの第1の端部における光強度を示す第1の光較正値を得る段階
を含み、
-該第1の光源により生成された光の該第1のイメージセンサの第2の端部における光強度を示す第2の光較正値を得ることにより、上記段階を繰り返す段階;ならびに
-該第1の光較正値および該第2の光較正値を併せて処理することにより、第1のイメージセンサ素子群と第2のイメージセンサ素子群の間に位置決めされたイメージセンサ素子についての第1の補正信号を生成する段階
をさらに含む、方法。
【請求項１０】
プログラムコード手段がデータ処理システム上で実行された場合に該データ処理システムに請求項9記載の方法の段階を実施させるように適合された該プログラムコード手段を記憶している、該データ処理システム。
【請求項１１】
プログラムコード手段がデータ処理システム上で実行された場合に該データ処理システムに請求項9記載の方法の段階を実施させるように適合されたプログラムコード手段を記憶しているコンピュータ可読媒体。
【請求項１２】
物理媒体の第1の領域において記録された画像信号を供給する複数のイメージセンサ素子を有する、第1のイメージセンサと、該第1のイメージセンサに関連付けられた第1の光源と、該第1のイメージセンサに関連付けられ、第3のイメージセンサ素子群を該第1の光源および任意の他の光源からの直接光および反射光から遮蔽する、第1の遮蔽構造とを備える画像スキャナにより、物理媒体を走査する方法であって、
-該第3のイメージセンサ素子群によって第1の基準較正値を記録する段階;
-該第1の基準較正値を処理することにより、該第1のイメージセンサのイメージセンサ素子についての第1の補正信号を生成する段階;
-該第1の補正信号を使用して、該第1のイメージセンサにより供給された該画像信号を補正する段階
を含む、方法。
【請求項１３】
前記画像スキャナが、
前記物理媒体の第2の領域において記録された画像信号を供給する複数のイメージセンサ素子を備える、第2のイメージセンサと、
該第2のイメージセンサに関連付けられた第2の光源と、
該第2のイメージセンサに関連付けられ、第6のイメージセンサ素子群を該第2の光源および任意の他の光源からの直接光および反射光から遮蔽する、第2の遮蔽構造と
をさらに備え、該第2の領域の一部分が前記第1のイメージセンサによっても記録され、それにより、それぞれの画像信号にオーバーラップ領域由来および非オーバーラップ領域由来の画像データが存在し、かつ、前記方法が、
-該第6のイメージセンサ素子群によって第2の基準較正値を記録する段階;
-該第2の基準較正値を処理することにより、該第2のイメージセンサのイメージセンサ素子についての第2の補正信号を生成する段階;
-該第2の補正信号を使用して、該第2のイメージセンサにより供給された該画像信号を補正する段階
をさらに含む、請求項1〜7および12のいずれか一項記載の方法。
【手続補正２】
【補正対象書類名】明細書
【補正対象項目名】００４８
【補正方法】変更
【補正の内容】
【００４８】
本発明の様々な局面は、それぞれ、前述の局面の少なくとも一つと関連付けて説明される利益および利点の一つまたは複数をもたらし、それぞれ、上記の局面かつ/または従属請求項に開示される局面の少なくとも一つと関連付けて説明される好ましい態様に対応する一つまたは複数の好ましい態様を有する、上記および以下で説明される物理媒体を走査する方法、信号を処理する方法および装置を含む様々な手法で実施することができる。さらに、本明細書で説明される局面の一つと関連付けて説明される態様は、その他の局面にも等しく適用され得ることも理解されるであろう。
[本発明1001]
物理媒体の第1の領域において記録された画像信号を供給する複数のイメージセンサ素子を有する、第1のイメージセンサと、該第1のイメージセンサに関連付けられた第1の光源とを備える画像スキャナにより、該物理媒体を走査する方法であって、
-該第1の光源から発せられた光を、該第1のイメージセンサの第1の端部に位置決めされた第1のイメージセンサ素子群へ向けて誘導し、該第1のイメージセンサ素子群を使用して、該第1の光源により生成された光の該第1のイメージセンサの該第1の端部における光強度を示す第1の光較正値を記録する段階
を含み、
-該第1のイメージセンサの第2の端部に位置決めされた第2のイメージセンサ素子群を使用することにより上記段階を繰り返し、その結果として、該第1の光源により生成された光の該第1のイメージセンサの該第2の端部における光強度を示す第2の光較正値を得る段階;ならびに
-該第1の光較正値および該第2の光較正値を併せて処理することにより、該第1のイメージセンサ素子群と該第2のイメージセンサ素子群の間に位置決めされたイメージセンサ素子についての第1の補正信号を生成する段階;
-該第1の補正信号を使用して、該第1のイメージセンサにより供給された該画像信号を補正する段階
をさらに含む、方法。
[本発明1002]
前記第1の補正信号が、該第1の補正信号の第2の部分の平均勾配よりも大きい平均勾配を有する第1の部分を含む、本発明1001の方法。
[本発明1003]
前記第1の補正信号の前記第1の部分が、該補正信号の少なくとも5％、10％、20％、25％、30％、50％、もしくは70％を成し、かつ/または該第1の補正信号の前記第2の部分が、該第1の補正信号の少なくとも30％、50％、60％、70％、75％、80％、もしくは90％を成す、前記本発明のいずれかの方法。
[本発明1004]
前記第1の補正信号の各値が、前記第1の光較正値と前記第2の光較正値の加重平均である、前記本発明のいずれかの方法。
[本発明1005]
第3のイメージセンサ素子群が、基準較正値を記録するために使用され、該第3のイメージセンサ素子群が光から遮蔽されており、かつ、前記第1の補正信号を生成する段階が、前記第1の較正値、前記第2の較正値および該基準較正値を併せて処理することを含む、前記本発明のいずれかの方法。
[本発明1006]
第1の光較正部を使用して前記第1のイメージセンサ素子群へ向けて光を誘導し、かつ、第2の光較正部を使用して前記第2のイメージセンサ素子群へ向けて光を誘導する、前記本発明のいずれかの方法。
[本発明1007]
前記画像スキャナが、
走査された前記物理媒体の第2の領域において記録された画像信号を供給する複数のイメージセンサ素子を備える、第2のイメージセンサと、
該第2のイメージセンサに関連付けられた第2の光源と
をさらに備え、該第2の領域の一部分が前記第1のイメージセンサによっても記録され、それにより、それぞれの画像信号にオーバーラップ領域由来および非オーバーラップ領域由来の画像データが存在し、前記方法が、
-該第2の光源から発せられた光を、該第2のイメージセンサの第1の端部に位置決めされた第4のイメージセンサ素子群へ向けて誘導し、該第4のイメージセンサ素子群を使用して、該第2の光源により生成された光の該第2のイメージセンサの該第1の端部における光強度を示す第3の光較正値を記録する段階;
-該第2の光源から発せられた光を、該第2のイメージセンサの第2の端部に位置決めされた第5のイメージセンサ素子群へ向けて誘導し、該第5のイメージセンサ素子群を使用して、該第2の光源により生成された光の該第2のイメージセンサの該第2の端部における光強度を示す第4の光較正値を記録する段階;
-該第3の光較正値および該第4の光較正値を併せて処理することにより、該第2のイメージセンサの該第4のイメージセンサ素子群と該第5のイメージセンサ素子群の間に位置決めされたイメージセンサ素子についての第2の補正信号を生成する段階;
-該第2の補正信号を使用して、該第2のイメージセンサにより供給された該画像信号を補正する段階
をさらに含む、前記本発明のいずれかの方法。
[本発明1008]
物理媒体の第1の領域において記録された画像信号を供給する複数のイメージセンサ素子を有する、第1のイメージセンサと、該第1のイメージセンサに関連付けられた第1の光源と、該第1の光源からの光を、該第1のイメージセンサの第1の端部に位置決めされた第1のイメージセンサ素子群へ向けて誘導するように構成された、第1の光較正部と、該第1の光源からの光を、該第1のイメージセンサの第2の端部に位置決めされた第2のイメージセンサ素子群へ向けて誘導するように構成された、第2の光較正部と、
-該第1のイメージセンサ素子群により記録された第1の光較正値を、該第2のイメージセンサ素子群により記録された第2の光較正値と併せて処理することにより、該第1のイメージセンサ素子群と該第2のイメージセンサ素子群の間に位置決めされたイメージセンサ素子についての第1の補正信号を生成する
ための処理部とを備える、走査のための装置。
[本発明1009]
物理媒体の第1の領域において記録された画像信号を供給する複数のイメージセンサ素子を有する第1のイメージセンサ由来の信号を処理する方法であって、
-該第1のイメージセンサに関連付けられた第1の光源により生成された光の該第1のイメージセンサの第1の端部における光強度を示す第1の光較正値を得る段階
を含み、
-該第1の光源により生成された光の該第1のイメージセンサの第2の端部における光強度を示す第2の光較正値を得ることにより、上記段階を繰り返す段階;ならびに
-該第1の光較正値および該第2の光較正値を併せて処理することにより、第1のイメージセンサ素子群と第2のイメージセンサ素子群の間に位置決めされたイメージセンサ素子についての第1の補正信号を生成する段階
をさらに含む、方法。
[本発明1010]
プログラムコード手段がデータ処理システム上で実行された場合に該データ処理システムに本発明1009の方法の段階を実施させるように適合された該プログラムコード手段を記憶している、該データ処理システム。
[本発明1011]
プログラムコード手段がデータ処理システム上で実行された場合に該データ処理システムに本発明1009の方法の段階を実施させるように適合された該プログラムコード手段を備える、コンピュータプログラム製品。
[本発明1012]
前記プログラムコード手段を記憶しているコンピュータ可読媒体を備える、本発明1011のコンピュータプログラム製品。
[本発明1013]
搬送波において具現化され、かつ、プロセッサによって実行された場合に該プロセッサに本発明1009の方法の段階を実施させる命令シーケンスを表す、コンピュータデータ信号。
[本発明1014]
物理媒体の第1の領域において記録された画像信号を供給する複数のイメージセンサ素子を有する、第1のイメージセンサと、該第1のイメージセンサに関連付けられた第1の光源と、該第1のイメージセンサに関連付けられ、第3のイメージセンサ素子群を該第1の光源および任意の他の光源からの直接光および反射光から遮蔽する、第1の遮蔽構造とを備える画像スキャナにより、物理媒体を走査する方法であって、
-該第3のイメージセンサ素子群によって第1の基準較正値を記録する段階;
-該第1の基準較正値を処理することにより、該第1のイメージセンサのイメージセンサ素子についての第1の補正信号を生成する段階;
-該第1の補正信号を使用して、該第1のイメージセンサにより供給された該画像信号を補正する段階
を含む、方法。
[本発明1015]
前記画像スキャナが、
前記物理媒体の第2の領域において記録された画像信号を供給する複数のイメージセンサ素子を備える、第2のイメージセンサと、
該第2のイメージセンサに関連付けられた第2の光源と、
該第2のイメージセンサに関連付けられ、第6のイメージセンサ素子群を該第2の光源および任意の他の光源からの直接光および反射光から遮蔽する、第2の遮蔽構造と
をさらに備え、該第2の領域の一部分が前記第1のイメージセンサによっても記録され、それにより、それぞれの画像信号にオーバーラップ領域由来および非オーバーラップ領域由来の画像データが存在し、かつ、前記方法が、
-該第6のイメージセンサ素子群によって第2の基準較正値を記録する段階;
-該第2の基準較正値を処理することにより、該第2のイメージセンサのイメージセンサ素子についての第2の補正信号を生成する段階;
-該第2の補正信号を使用して、該第2のイメージセンサにより供給された該画像信号を補正する段階
をさらに含む、前記本発明のいずれかの方法。